(57)【特許請求の範囲】
【請求項１】
ハウジングの内部に検査液通路を備え、
前記検査液通路の上流部分に検査液注入器を密閉的に挿着可能な検査液供給部を設け、
前記検査液通路の下流部分に排気孔を設け、
前記検査液通路における検査液供給部と排気孔との間に、検査液通路中に供給された検査液の少なくとも一つの成分を検出可能なセンサ装置を、その検出部が前記検査液通路における前記検査液供給部と排気孔との間の部分に露出し、かつ、その端子部がハウジングの外部に露出するように設け、
前記検査液通路における、前記センサ装置の検出部が露出した部分と検査液供給部との間に、そこから分岐する校正液通路を設け、前記校正液通路の上流部分に、外部からの押圧力によって内部の校正液を校正液通路に放出する校正液容器を設けると共に、
前記検査液供給通路における前記校正液通路が分岐する部分より上流側の通路幅を、それより下流側の通路の通路幅より狭くし、
前記端子部を、前記検出部の検出結果に基づいて検査液中の少なくとも一つの成分を分析可能な分析装置に接続可能に構成した
ことを特徴とする検査液分析装置用使い捨て成分検出具。
【請求項２】
前記排気孔に、空気に対しては透過性で液体に対しては非透過性の材料から成る栓部材を設けた
ことを特徴とする請求項１に記載の使い捨て成分検査具。
【請求項３】
ハウジングの内部に検査液通路を備え、
前記検査液通路の上流部分に検査液注入器を密閉的に挿着可能な検査液供給部を設け、
前記検査液通路の下流部分に排気孔を設け、
前記検査液通路における検査液供給部と排気孔との間に、検査液通路中に供給された検査液の少なくとも一つの成分を検出可能なセンサ装置を、その検出部が前記検査液通路における前記検査液供給部と排気孔との間の部分に露出し、かつ、その端子部がハウジングの外部に露出するように設け、
前記検査液通路における、前記センサ装置の検出部が露出した部分と検査液供給部との間に、そこから分岐する校正液通路を設け、前記校正液通路の上流部分に、外部からの押圧力によって内部の校正液を校正液通路に放出する校正液容器を設けると共に、
前記検査液供給通路における前記校正液通路が分岐する部分より上流側の通路幅を、それより下流側の通路の通路幅より狭くし、
前記端子部を、前記検出部の検出結果に基づいて検査液中の少なくとも一つの成分を分析可能な分析装置に接続可能に構成した検査液分析装置用使い捨て成分検出具において、
前記使い捨て成分検出具を、少なくともその検査液供給部の一部が検査液分析装置の外部に露出するように検査液分析装置に接続し、
前記校正液容器を押圧して校正液を検査液通路に放出させセンサ装置の検出部の校正を行った後に、
前記検査液供給部に、検査液を含有した検査液注入器を密閉的に挿着させて、該検査液注入器で検査液の注入を行う
ことを特徴とする検査液分析装置用使い捨て成分検出具に対する検査液供給方法。
【請求項４】
前記排気孔に、空気に対しては透過性で液体に対しては非透過性の材料から成る栓部材を設け、
検査液が前記栓部材に達するまで検査液を注入する
ことを特徴とする請求項３に記載の検査液供給方法。
【発明の詳細な説明】
【０００１】
【発明の属する技術分野】
本発明は、人間や動物等の体液等の検査液中のガス成分やｐＨ値等を測定及び分析することができる検査液分析装置に使用可能な成分検出具及び該成分検査具に対する検査液の供給方法に関する。
【０００２】
【従来の技術】
この種の検査液分析装置は、例えば病院又は分析センタ等の施設内や事故現場等の屋外等において患者の心肺機能を検査する目的で血液の酸性度ｐＨ、炭酸ガス分圧ＰＣＯ２、酸素分圧ＰＯ２、ナトリウムＮａ、カリウムＫ、塩素Ｃｌ、イオン化カルシウムＣａ、尿素窒素ＢＵＮ、グルコースＧｌｕ、ヘマトクリットＨｃｔ、重炭酸イオンＨＣＯ３−、酸素飽和度ＳＯ２、全二酸化炭素ＴＣＯ２、塩基過剰ＢＥ、ヘモグロビンＨｇｂのような各種ガス濃度やイオン濃度を測定・分析するのに使用され、据置き型や携帯型のもが種々提案され実用に供されている。
特に携帯型の分析装置としては例えば、特公平８−20398 号公報に、検査液中の成分を検出する複数の検出部を有するセンサ装置を備えた成分検出具を分析装置本体と別体に備えた形式の分析装置が開示されている。
前記した成分検出具は、
ハウジング内に
分析すべき液体サンプル（以下、本願に合わせて検査液と称する。）を保持する保持部と、
該保持部と連通する検査液通路と、
検査液通路の途中に設けられたセンサ装置と、
検査液通路の下流に設けられた貯留部と、
内部に所定量の空気を収容し、外部からの押圧力によって変形可能な部分を有する空気収容部と、
該空気収容部と前記保持部とを連通する空気圧供給路とを備え、
検査液分析装置本体に着脱可能に構成されている。
上記したように構成された成分検出具を使用する場合、まず、作業者は分析すべき検査液を成分検査具の保持部に滴下して、成分検査具に検査液を保持させる。この後、成分検出具を前記分析装置に装着し、分析装置側に設けられた押圧手段で前記空気収容部を押圧し、空気収容部内の空気を保持部側に押し出し、この空気圧によって保持部に保持された検査液を検査液通路に流して、センサ装置の検出部に接触させる。
【０００３】
【発明が解決しようとする課題】
上記したように、成分検出具を分析装置に装着する前に成分検出具に検査液を滴下して保持させ、検査液を保持させた状態で成分検出具を分析装置に装着する方法を採るためには、保持部に保持された検査液が雰囲気に触れないように保持部に気密性のよい蓋を設けなければならず、作業者には検査液を保持部に滴下したら直ぐに前記した蓋を閉鎖するという迅速な作業が要求される。
特に、このような成分検出具を使用する携帯型の検査液分析装置は、病院又は分析センタ等のように落ち着いて作業ができる施設内での使用よりも、事故現場や救急車等の屋外や移動中の車両等のように比較的慌ただしい状況下で使用されることが多いため、上記したように検査液が外気に触れないように迅速に蓋を閉鎖する等の作業が伴うのは作業者に対して酷である。
また、いくら検査液滴下後直ちに蓋を閉鎖したとしても、検査液が雰囲気に晒されることを完全に避けることはできず、その結果分析精度も悪くなるという分析装置に使用する成分検出具としては致命的ともいえる問題も生じる。
さらに、上記したように一時的にでも検査液を保持させるためには、成分検出具内に保持部等の検査液を保持する空間を検査液通路とは他に設けなければならないため、成分検査具を小型化するためには必然的にこの保持部の容量を少なくしなければならないが、保持部の容量が少ないと、作業者が検査液を正確に保持部に滴下するのが難しくなるという問題が生じる。特に血液等の感染症の可能性がある検査液の場合は、作業者が検査液に直接触れることは避けなければならないため、検査液を漏らさないように保持部に滴下する作業は作業者にとって非常に酷なものになる。
【０００４】
本発明は、上記した成分検知具を分析装置に装着する前に成分検査具に検査液を供給する方法を採ることによって生じる様々な問題点を解決し、作業者の検査液の供給作業に対する負担を軽減することができる検査液分析装置用使い捨て成分検出具及び該成分検査具に対する検査液供給方法を提供することを目的としている。
【０００５】
【課題を解決するための手段】
上記した目的を達成するために、本発明による検査液分析装置用使い捨て成分検出具は、ハウジングの内部に検査液通路を備え、前記検査液通路の上流部分に検査液注入器を密閉的に挿着可能な検査液供給部を設け、前記検査液通路の下流部分に排気孔を設け、前記検査液通路における検査液供給部と排気孔との間に、検査液通路中に供給された検査液の少なくとも一つの成分を検出可能なセンサ装置を、その検出部が前記検査液通路における前記検査液供給部と排気孔との間の部分に露出し、かつ、その端子部がハウジングの外部に露出するように設け、前記検査液通路における、前記センサ装置の検出部が露出した部分と検査液供給部との間に、そこから分岐する校正液通路を設け、前記校正液通路の上流部分に、外部からの押圧力によって内部の校正液を校正液通路に放出する校正液容器を設けると共に、前記検査液供給通路における前記校正液通路が分岐する部分より上流側の通路幅を、それより下流側の通路の通路幅より狭くし、前記端子部を、前記検出部の検出結果に基づいて検査液中の少なくとも一つの成分を分析可能な分析装置に接続可能に構成したことを特徴とする。
また、本発明による検査液分析装置用使い捨て成分検出具に対する検査液供給方法は、ハウジングの内部に検査液通路を備え、前記検査液通路の上流部分に検査液注入器を密閉的に挿着可能な検査液供給部を設け、前記検査液通路の下流部分に排気孔を設け、前記検査液通路における検査液供給部と排気孔との間に、検査液通路中に供給された検査液の少なくとも一つの成分を検出可能なセンサ装置を、その検出部が前記検査液通路における前記検査液供給部と排気孔との間の部分に露出し、かつ、その端子部がハウジングの外部に露出するように設け、前記検査液通路における、前記センサ装置の検出部が露出した部分と検査液供給部との間に、そこから分岐する校正液通路を設け、前記校正液通路の上流部分に、外部からの押圧力によって内部の校正液を校正液通路に放出する校正液容器を設けると共に、前記検査液供給通路における前記校正液通路が分岐する部分より上流側の通路幅を、それより下流側の通路の通路幅より狭くし、前記端子部を、前記検出部の検出結果に基づいて検査液中の少なくとも一つの成分を分析可能な分析装置に接続可能に構成した検査液分析装置用使い捨て成分検出具において、前記使い捨て成分検出具を、少なくともその検査液供給部の一部が検査液分析装置の外部に露出するように検査液分析装置に接続し、前記校正液容器を押圧して校正液を検査液通路に放出させセンサ装置の検出部の校正を行った後に、前記検査液供給部に、検査液を含有した検査液注入器を密閉的に挿着させて、該検査液注入器で検査液の注入を行うことを特徴とするものである。
【０００６】
【発明の実施の形態】
以下に、本発明に係る使い捨て成分検査具及び該成分検査具に対する検査液供給方法（以下、単に検査液供給方法と称する。）の実施の形態を図２〜図８に示した一実施例を参照しながら説明していく。
【０００７】
図１は本発明に係る検査液供給方法を実施するための本発明に係る使い捨て成分検出具の一実施例の概略展開図であり、図２は後述するハウジング組立後の検出具における検査液通路の概略上面図である。
図面に示すように、検出具は、透明または半透明なプラスチックのような適当な材料から成るハウジング１を備えている。このハウジング１は、互いに重畳される二枚の基板１Ａ、１Ｂ及び両面に接着層を備えた薄い仕切板１Ｃから成り、二枚の基板１Ａ、１Ｂで前記仕切板１Ｃを挟み、該仕切板２で二枚の基板１Ａ及び１Ｂが液密に接合されるように組み立てられる。
【０００８】
一方の基板１Ａには、その内側面すなわち薄い仕切板１Ｃと対向する面に、検査すべき人間または動物の体液等の検査液を通す溝から成る検査液通路２が基板１Ａの周囲縁部に沿ってコの字状に形成されている。この検査液通路２の上流端にはハウジングの外部と連通する検査液の注入孔３が形成されており、また、検査液通路２の下流部分にはジグザグ状に形成された第１の廃液部４が形成されている。
図３は、基盤１Ａにおける前記注入孔３に対応する部分の部分断面図であり、図面に示すように前記注入孔３は基板１Ａの内側面から外側面へ僅かにテーパー状に広がり、基板１Ａの外側面における注入孔３の周囲には案内肩部３ａが設けられている。これにより注入孔３に注射器等の検査液注入器（図示せず）を密閉的に挿着でき、雰囲気に触れないように検査液を検査液通路２に注入できるように構成されている。
【０００９】
第１の廃液部４を構成している溝は図１及び図２に示すようにジグザグに形成され、その幅及び深さは、十分容積を得るために検査液通路２の他の部分より大きく設定されている。
また、検査液通路２は図１及び図２に示すように、注入孔３からのびる比較的幅の狭い部分２ａと、この比較的幅の狭い部分２ａに続く検出部当接部分２ｂと、検出部当接部分２ｂにつづく括れ部分２ｃと、括れ部分２ｃから第１の廃液部４へ伸びる部分２ｄとを備えている。検査液通路２のセンサ当接部分２ｂの上流部分には校正液通路の一部を構成する細溝６が内方へ向って形成されている。さらに検査液通路３のセンサ当接部分３ｂには周縁部に向かってのびる分枝通路７が形成され、その先端は貫通孔８で終端している。この貫通孔８は参照電極に相対するように位置決めされ、ゲル状の飽和塩化カリウム溶液が装填され得る。
さらに一方の基板１Ａのコの字状の検査液通路２で囲まれた内側領域には開口部９が形成されており、この開口部９は測定時に後で説明する校正液容器を押圧する手段を受けるために設けられている。
さらにまた一方の基板１Ａのほぼ中央部には、後述する検査液分析装置に検出具を挿入する際の案内及び係止用の貫通孔10が設けられている。
【００１０】
他方の基板１Ｂには、その内側面すなわち薄い仕切板１Ｃと対向する面に、センサ装置１１を装着するための浅い凹面１２が一つの隅角部に沿って形成され、そして一方の基板１Ａにおける開口部９に相応した位置には校正液容器１３の装着凹面１４が形成されている。
図４は、校正液容器１３及び基板１Ｂにおける前記装着凹面１４に対応する部分の拡大図であり、図面に示すように校正液容器１３は、ガス透過性のない、又は低い材質から成り、内部にセンサ装置１１における各検出部の校正用の試薬を密閉的に収容している。本実施例では前記校正液容器は外周縁部１３ａが、少なくとも後述する分析装置の押圧手段で押圧された時の内圧で剥離しない強度で接着されている。前記外周縁部１３ａには、放出部１３ｂが形成されており、この放出部１３ｂに対応する部分は、少なくとも後述する分析装置の押圧手段で押圧された時の内圧で剥離可能に易剥離シーラントで接着されている。この易剥離シーラントによる剥離機構としては、シーラントと被着体が完全に融着しておらず、適度な強度で剥がせる状態の界面剥離機構、コーティング層やラミネートフィルムの層間で剥離可能な層間剥離機構、又は開封時にシーラント層の内部凝集破壊により剥離する凝集剥離機構等が考えられ得る。
上記したように校正液容器を形成することにより、後述する分析装置の押圧手段で押圧された時に放出部１３ｂのみが剥離して開封状態となり、内部の試薬が校正液容器から放出できるようになる。このように、易剥離シーラントを用いて放出部を形成することで校正液を放出させるために校正液容器を針状物で破く構成を採っている検出具に比べて校正液容器の強度を全体として高くすることができ、その結果、ガス透過性の低い素材が使えるので検出具保存時の試薬の保存性が著しく向上する。
また、基板１Ｂにおける装着凹面１４の前記校正液容器１３の放出部１３ｂに対応する部分から、一方の基板１Ａにおける校正液通路の一部を構成している細溝６の自由端に相応した位置までには校正液通路の一部を成す細溝１６が形成されている。この細溝１６は、組立られた時に仕切板１Ｃに設けられた孔２３を介して一方の基板１Ａに形成された細溝６と連通して一本の校正液通路を構成して前記校正液容器１３の放出部１３ｂと検査液通路２との連通させ、検査液の測定に先立ってセンサ装置１１の各センサを校正するために校正液容器１３が分析装置の押圧手段によって押圧され、その放出部１３ｂが剥離した時に校正液容器１３中の校正液を検査液通路２における検出部当接部２ｂに流す。
尚、図面には詳細に示していないが、校正液容器装着凹面１４、校正液通路の一部を成す細溝１６、及び校正液容器１３には、校正液容器１３の放出部１３ｂから試薬が放出した時に、試薬が他の部分に漏れでないで確実に細溝１６内に流れ込むために案内溝を設ける等の様々な構成が採られることは言うまでもない。
【００１１】
また、符号１７は、一方の基板１Ａにおける第１の廃液部４に対応した位置に該廃液部４と対称形状に形成されたジグザグの溝から成る第２の廃液部を示しており、この廃液部１７は、組立られた時に仕切板１Ｃに設けられた孔２４を介して一方の基板１Ａに形成された第１の廃液部４と連通して連続する一本の廃液通路を構成する（図２参照）。また、廃液部１７の下流端部には外部と連通する排気孔１８が形成されており、この排気孔１８には図５に示すように空気に対しては透過性で液体に対しては不透過性の働きをする栓部材１９が装着されている（図５は、基板１Ｂにおける排気孔１８部分の部分断面図を示している。）。
この栓部材１９は、例えば、撥水性材料からなる多孔性合成樹脂の孔内に吸水率の高い吸水性樹脂を含有させたものから成り、検査液注入器で注入孔３から血液等の検査液を注入すると、検査液が前記栓部材１９に至った時点で前記吸水性樹脂が検査液を吸収して膨張し前記多孔性合成樹脂の各孔を塞ぐので、栓部材１９が排気孔１８を密閉し、それ以上注入器で検査液を注入できなくなる。これにより、検査液通路２の内部は注入孔３から排気孔１８までが確実に検査液で満たされるので、注入孔３と排気孔１８の間に設けられたセンサ装置１１の検出部に検査液が確実に供給されるようになる。
【００１２】
図６は、センサ装置１１の概略拡大図である。図面に示すように、このセンサ装置１１は、絶縁性基板１１ａ上に導電性インキを塗布して形成された電極を有する複数の検出部１１ｂを備えている。
この検出部１１ｂは、酸性度ＰＨ、炭酸ガス分圧ＰＣＯ２、酸素分圧ＰＯ２、ナトリウムＮａ、カリウムＫ、塩素Ｃｌ、イオン化カルシウムＣａ、尿素窒素ＢＵＮ、グルコースＧｌｕ、ヘマトクリットＨｃｔ、重炭酸イオンＨＣＯ３−、酸素飽和度ＳＯ２、全二酸化炭素ＴＣＯ２、塩基過剰ＢＥ、ヘモグロビンＨｇｂ等のような検出すべき成分に応じて、各電極の検査液通路２に対応する部分に、検出すべきガス成分が透過可能なガス透過膜や、検出すべき成分に反応する化学物質や天然物質を塗布してなる試薬層が適宜設けられ得る。
また、前記検出部１１ｂは、例えば、血液中の酸素分圧やグルコース濃度を測定するために電流検出方式を用いる場合にはさらに対極を備え、また、検査液中の水素、ナトリウム又はカリウム等のイオン濃度を測定するために電位差検出方式を用いる場合にはさらに参照電極を備え、さらにまた、ヘマトクリット量を測定するために検査液中の電導度を測定する場合には、それらの間に交流電圧を印加する等、検出すべき成分に応じて様々な形態を採ることができる。
なお、図示実施例では検出部１１ｂはこれら検査値のうち８種類の検査値を測定できるように配列されている。
また各検出部１１ｂは導電性インキを塗布して成る導体１１ｄを介して基板１１ａの一側縁部に沿って整列して設けた端子１１ｅに接続され、これらの端子１１ｅは、ハウジング１を組み立てた時に基板１Ａから外部に露出するように配置されている。すなわち、図７はハウジング１を組み立てた状態を示す概略斜視図であるが、この図面から分かるように一方の基板１Ａの幅は他方の基板１Ｂより若干小さく構成されており、前記端子１１ｅは二つの基板１Ａ及び１Ｂを重ねた時に基板１Ｂにおける基板１Ａから突出する部分に配置されている。
尚、前記絶縁性基板は、セラミック、ガラス、ガラスエポキシ、プラスチック等、検査液によって侵されない材質のものであれば任意の絶縁性材料が使用され得るが、使い捨てであるため安価で扱い易いポリ塩化ビニル、ポリエステル、ポリエチレン、ポリプロピレン等のプラスチックフィルム等が好ましい。
また、導電性インキを塗布する印刷方法としては、好ましくは効率よく大量に均一なものが形成できるスクリーン印刷法が考えられ得るが、これに限定されることなくインキジェット法、ノズルコーティング法、ディスペンサー印刷、又はキャスティング等任意の方法を用いることができる。
【００１３】
一方の基板１Ａにおける貫通孔１０に対応した他方の基板１Ｂ上の位置には貫通孔２０が設けられ、二枚の基板１Ａ、１Ｂを互いに貼合わせた時にこれら貫通孔１０及び２０が整列して合致するようにされている。
【００１４】
また仕切板１Ｃには、一方の基板１Ａにおける検査液通路２の検出部当接部分２ｂ及び分枝通路７に沿った位置に複数の開口部２１が設けられ、検査液通路２の検出部当接部分２ｂ及び分枝通路７に流れてくる検査液がこれらの開口部２１を通して他方の基板１Ｂ上の各検出部１１ｃ及び電極１１ｂと接触するようにされている。
さらに仕切板１Ｃは、一方の基板１Ａにおける貫通孔１０及び他方の基板１Ｂ上の貫通孔２０に対応した位置に設けられた孔２２、一方の基板１Ａの細溝６の自由端と他方の基板１Ｂの細溝１６の自由端とを連通させ一本の校正液通路を形成させるための孔２３、及び一方の基板１Ａの廃液部４と他方の基板１Ｂの廃液部１７とを連通させて連続した廃液部を形成させるための孔２４を備えている。
【００１５】
図８は本発明による検出具を使用可能な検査液分析装置の一実施例としての携帯型分析装置の概略斜視図を示し、図９は分析装置の内部処理を概略的に示すブロック図である。
この携帯型分析器は図１〜図７に例示したカード式使い捨て検出具を挿入する挿入口３０と、カード式使い捨て検出具における各検出部で検出した出力信号を演算処理する演算処理部３１と、演算処理部３１の演算結果を記憶する記憶部３２と、ケーシングの上面部に配置され、演算処理部３１の演算結果のデータを表示する表示部３３と、演算処理部３１の演算結果のデータを印刷するプリンタ３４とから成っている。図８に示す表示部３３には装置の操作部が組み込まれており、また装置内部には校正液容器押圧手段が設けられており、この校正液容器押圧手段はカード式使い捨て検出具を挿入することにより、作動できるようにされている。
【００１６】
上記したように構成された分析装置と検出具とを用いた検出液注入から成分分析までの処理について患者の血液分析を例に挙げて説明する。
まず、用意したカード型使い捨て検出具を携帯型分析器の挿入口３０に差し込んでセンサ装置の検出部の校正測定を行う。すなわちカード式使い捨て検出具を挿入することにより、測定項目を判別し、自動的に携帯型分析器内の試薬容器押圧手段が作動され、検出具の基板１Ａに形成された開口部９を通って校正液容器１３を所定の圧力で押圧する。これにより、校正液容器１３の放出部１３ｂが剥離して内部に収容された校正液が校正液通路６，１６に放出され、この校正液通路６，１６を介して検査液通路２の検出部当接部２ｂに流され、校正液が検出部１１ｂに接触する。分析装置側ではこの時に各端子１１ｅから検出される電流値や電圧値等に基づいて各検出部１１ｂに対する校正を行う。
【００１７】
その後、患者から採取した血液の入った注射器のノズルをカード式使い捨て検出具における注入孔３に嵌合させて血液を内部の検査液通路２へ注入する。この際、検査液通路２は検出部当接部分２ｂの上流側に比較的幅の狭い部分２ａを備え、また下流側に括れ部分２ｃを備えているので、血液の注入圧力にばらつきがあっても、注入された血液は検査液通路２の検出部当接部分２ｂに沿ってをゆっくりと安定して流れ、センサ装置の各検出部は所望の検査値を安定して正確に検知することができる。こうして検査液通路２の検出部当接部分２ｂを通過した血液は括れ部分２ｃから下流部分２ｄを通り第１の廃液部４へ流入する。この場合注射器による血液の注入中、第１の廃液部４内の血液の溜まり状態を外部から監視することにより血液の注入量を容易に認識することができる。また、第１の廃液部４に繋がる第２の廃液部１７の下流端部、即ち、検査液通路２の下流端部に形成された排気孔１８には空気に対しては透過性で液体に対しては不透過性の栓部材１９が装着されているので、特別血液の注入量を注意して監視していなくても血液が前記栓部材１９まで注入さ検査液通路２が一杯になると前記栓部材１９が排気口１８を密閉して、自動的にそれ以上血液が注入できなくなる。
また従来のように注入した血液を検査具内に保持しておき校正操作後、検査具内に保持していた血液の検査値測定をおこなうものと違って、本発明において検査具への血液注入と実質的に同時に血液の検査値測定をおこなうので正確な測定値を得ることができる。
【００１８】
こうして各検出部１１ｂで検出された電流値及び電圧値は端子１１ｅから、携帯型分析器内の演算処理部３１に送られ、演算処理されて、酸性度ＰＨ、炭酸ガス分圧ＰＣＯ２、酸素分圧ＰＯ２、ナトリウムＮａ、カリウムＫ、塩素Ｃｌ、イオン化カルシウム Ｃａ、尿素窒素ＢＵＮ、グルコースＧｌｕ、ヘマトクリットＨｃｔ、重炭酸イオンＨＣＯ３−、酸素飽和度ＳＯ２、全二酸化炭素ＴＣＯ２、塩基過剰ＢＥ、ヘモグロビンＨｇｂのような各種ガス濃度やイオン濃度に関するデータが出力され、これらのデータは一方では記憶部３３に記憶されると共に、ケーシングの上面部に配置された表示部３３に表示される。そしてこれらのデータは必要によりプリンタ３４を作動させてプリントアウトすることができる。
【００１９】
このように、成分検出具を分析装置に装着した後に、検査液を成分検出具に注入することにより、注入された検査液を直ちにセンサ装置に触れさせて分析装置で成分分析をさせることができるようになるので検査液が雰囲気に晒されることは全くなく精度のよい成分分析が行えるようになる。
また、注入に際して作業者は、従来の成分検出具のように検査液を漏らさないように慎重に保持部に滴下し、しかも滴下した後、直ちに蓋を閉鎖するという煩雑な作業を行う必要がなく、単に注入器のノズル部分を注入孔に嵌合させて適当量検査液を注入するだけでよいので作業が非常に簡単になる。
また、前記排気孔に、空気に対しては透過性で液体に対しては非透過性の材料から成る栓部材を設け、検査液が前記栓部材に達するまで検査液を注入するようにすれば、作業者は注入量についても注意を払う必要がなくなるので、より一層作業が簡単になる。
図示実施例に示した成分検出具は、本発明の検出液注入方法を実施するための成分検出具の一例であって、その構成は本実施例に限定されるものではなく、分析装置に装着した時に注入孔が分析装置の外部に露出するように構成されていれば任意の構成でよく、例えば、図示実施例ではハウジング１が二枚の基板１Ａ及び１Ｂと仕切板１Ｃで構成されているが、これは本実施例に限定されることなく、内部に検査液通路が形成できる構成であれば任意の構成が考えられ得、また、図示実施例では、二枚の基板は全体を透明または半透明の材料で構成しているが、これは本実施例に限定されることなく不透明材料で構成してもよく、また、第１、第２の廃液部４及び１７内の何れかの状態を確認できるように一部を透視可能な材料で構成してもよい。また本実施例では、一方の基板を他方の基板より幅を狭く形成することによりセンサ装置の端子を露出させているが、二枚の基板を同じ寸法に構成してセンサ装置の端子をその側面に露出するように構成してもよい。さらに、図示実施例では両面に接着層を備えた仕切板で二枚の基板を接着するように構成しているが、これは本実施例に限定されることなく直接接着剤で接合してもよい。また、センサ装置はハウジングと別体に設けているが、ハウジングに直接検出部等を設けてもよい。さらにまた、検出部の数は検査値の数及び種類に応じて任意に設定することができる。
【００２０】
【発明の効果】
本発明による検査液分析装置用使い捨て成分検出具に対する検査液供給方法は、ハウジングの内部に検査液通路を備え、前記検査液通路の上流部分に検査液注入器を密閉的に挿着可能な検査液供給部を設け、前記検査液通路の下流部分に排気孔を設け、前記検査液通路における検査液供給部と排気孔との間に、検査液通路中に供給された検査液の少なくとも一つの成分を検出可能なセンサ装置を、その検出部が前記検査液通路における前記検査液供給部と排気孔との間の部分に露出し、かつ、その端子部がハウジングの外部に露出するように設け、前記検査液通路における、前記センサ装置の検出部が露出した部分と検査液供給部との間に、そこから分岐する校正液通路を設け、前記校正液通路の上流部分に、外部からの押圧力によって内部の校正液を校正液通路に放出する校正液容器を設けると共に、前記検査液供給通路における前記校正液通路が分岐する部分より上流側の通路幅を、それより下流側の通路の通路幅より狭くし、前記端子部を、前記検出部の検出結果に基づいて検査液中の少なくとも一つの成分を分析可能な分析装置に接続可能に構成した検査液分析装置用使い捨て成分検出具において、前記使い捨て成分検出具を、少なくともその検査液供給部の一部が検査液分析装置の外部に露出するように検査液分析装置に接続し、前記校正液容器を押圧して校正液を検査液通路に放出させセンサ装置の検出部の校正を行った後に、前記検査液供給部に、検査液を含有した検査液注入器を密閉的に挿着させて、該検査液注入器で検査液の注入を行うので、注入に際して作業者は、従来の成分検出具のように検査液を漏らさないように慎重に保持部に滴下し、しかも滴下した後、直ちに蓋を閉鎖するという煩雑な作業を行う必要がなく、単に注入器のノズル部分を注入孔に嵌合させて適当量検査液を注入するだけでよくなり注入作業に対する負担が非常に軽減する。
成分検出具を分析装置に装着した後に、検査液を成分検出具に注入することにより、注入された検査液を直ちにセンサ装置に触れさせて分析装置で成分分析をさせることができるようになるので検査液が雰囲気に晒されることは全くなく精度のよい成分分析が行えるようになる。
上記したように本発明に係る検査液分析装置用使い捨て成分検出具に対する検査液供給方法によれば、使い捨てができるように分析装置と別体に構成された成分検出具であっても、従来の据え置き型の分析装置に検査液を打ち込む方法と同様に検査液の打ち込み処理を行うことができるようになるので、検査液の注入作業が非常に簡単になり、作業者に対する負担が軽減するという効果を奏する。
【図面の簡単な説明】
【図１】  本発明に係る検出液注入方法を実施するための本発明に係る成分検出具の一実施例の概略展開図である。
【図２】  ハウジング組立後の検出具における検査液通路の概略上面図である。
【図３】  基盤１Ａにおける前記注入孔３に対応する部分の部分断面図である。
【図４】  校正液容器１３及び基板１Ｂにおける前記装着凹面１４に対応する部分の拡大図である。
【図５】  基板１Ｂにおける排気孔１８部分の部分断面図である。
【図６】  センサ装置１１の概略拡大図である。
【図７】  ハウジング１を組み立てた状態を示す概略斜視図である。
【図８】  本発明による検出具を使用可能な携帯型分析器の一実施例を示す概略斜視図である。
【図９】  図８に示す携帯型分析器の構成を示すブロック線図である。
【符号の説明】
１００ ハウジング
１０１ 検査液通路
１０２ 注入孔
１０３ センサ装置
１０４ 排気孔
１ ハウジング
１Ａ 基板
１Ｂ 基板
１Ｃ 仕切板
２ 検査液通路
２ａ 注入孔３からのびる比較的幅の狭い部分
２ｂ 検出部当接部分
２ｃ 括れ部分
２ｄ 括れ部分２ｃから第１の廃液部４へ伸びる部分
３ 注入孔
４ 廃液部
６ 校正液通路の一部を構成する細溝
７ 分岐通路
８ 貫通孔
９ 押圧用開孔
１０ 貫通孔
１１ センサ装置
１１ａ 基板
１１ｂ 検出部
１１ｄ 導体
１１ｅ 端子
１２ 凹面
１３ 校正液容器
１３ａ 外周縁部
１３ｂ 放出部
１４ 校正液容器装着凹面
１６ 校正液通路の一部を構成する細溝
１７ 第２の廃液部
１８ 排気孔
１９ 栓部材
２０ 貫通孔
２１ 開口部
２２ 貫通孔
２３ 細溝６及び１６を連通する孔
２４ 第１廃液部４及び第２廃液部１７とを連通する孔
３０ 挿入口
３１ 演算処理部
３２ 記憶部
３３ 表示部
３４ プリンタ
【図１】
0004041560.tif 000002
【図２】
0004041560.tif 000003
【図３】
0004041560.tif 000004
【図４】
0004041560.tif 000005
【図５】
0004041560.tif 000006
【図６】
0004041560.tif 000007
【図７】
0004041560.tif 000008
【図８】
0004041560.tif 000009
【図９】
0004041560.tif 000010